(57)【要約】【課題】  老人介護施設又は身体障害者施設の高齢者や身体障害者が車椅子などに載った状態で安全に草花を世話することができるガーデニング用コンテナー車を提供する。【解決手段】  握り棒９を有する前壁５及び後壁６と左右の側壁７を有し、側壁下部７ａに前輪１１と後輪１２を有する木製のコンテナー２からなり、植栽用の上面開放容器３と下部の収納室４を有し、上側壁上部７ａの上半部７ｂを下半部７ｃに対して外側へ直角に倒しうる棚板７ｄとし、倒した棚板７ｄを支持する支持板８を側壁７から観音開き可能に下半部７ｃの側壁７に取付け、直角に倒した棚板７ｄの高さを車椅子に載った人の肘を載置しうる高さとし、上面開放容器３にステンレス製の水溜めパン３ａを配置し、収納室４の前壁５と後壁６に開きドア１０を設け、上部の水溜めパン３ａの底に開口の水抜き孔３ｂから水抜き用ホース３ｃを収納室４の水受けバケツ３ｄに挿入可能としている。【選択図】      図１
0003115052.tif 000002
【実用新案登録請求の範囲】
【請求項１】
前壁上部５ａ及び後壁上部６ａからそれぞれ前後に突出する左右に水平な手押し用の握り棒９を有する前壁５及び後壁６と左右の各側壁７を有し、左右の各側壁下部７ａの前後部にそれぞれ前輪１１と後輪１２を有する植栽用の手押し車タイプの木製のコンテナー２からなり、コンテナー２を上部の植栽用の上面開放容器３と下部の収納室４に区分し、上部の植栽用の上面開放容器３の側壁上部７ａの上半部７ｂを下半部７ｃに対して外側へ直角に倒しうる棚板７ｄとし、上記の下半部７ｃの側壁７に直角に倒した棚板７ｄの支持板８を側壁７から観音開き可能に側壁７に取付け、直角に倒した棚板７ｄの高さを車椅子に載った人の肘を載置しうる高さとし、上部の植栽用の上面開放容器３の底にステンレス製の水溜めパン３ａを配置すると共に、下部の収納室４の前壁５と後壁６に開きドア１０を設け、収納室４の天井部に上部の水溜めパン３ａの底に開口の水抜き孔３ｂから水抜き用ホース３ｃを収納室４に収納の水受けバケツ３ｄに挿入可能としていることを特徴とするガーデニング用のコンテナー車１。
【請求項２】
手押し車タイプの木製のコンテナー２は前輪１１の前にさらに方向自在のキャスター１３を有し、このキャスター１３を可動とするクランクの操作棒１４をコンテナーの後壁６の下部から後方に突出させて有することを特徴とする請求項１に記載のガーデニング用のコンテナー車１。
【考案の詳細な説明】
【技術分野】
【０００１】
この考案は老人介護施設又は障害を有する人の福祉施設内において、園芸植物を植えて飾るための装置に関し、特に高齢者の老人介護施設や障害を有する人の福祉施設などの園芸用の装飾を施したコンテナーに関する。
【背景技術】
【０００２】
従来、高齢者や障害者が入居している施設では、施設側でガーデニングをして施設の内外を飾っている。ところで、今や日本のいたるところで、ガーデニングブームがおこっている。しかしながら、高齢者を始め、障害を持っている人々がガーデニングに興味を持っても、このような人たちがガーデニングをするためにふさわしい適当な用具が見当たらないのが現実であった。
【０００３】
このような老人介護施設に入居している高齢者や、あるいは障害者用の福祉施設に入居している身体障害者などで、立ち居振る舞いを自立してできにくく車椅子を必要とする人や、車椅子を必要としなくとも長時間にわたり腰を延ばした状態で作業を続けることができない人にとって、楽な姿勢で安心してガーデニングを行うことができれば、生きがいが生じると共に適度の運動がこれらの人々のリハビリに好結果をもたらし、これらの人々の自尊心や尊厳を維持し、安心感をもたらすことが期待されている。
【０００４】
従来のこのような施設でのガーデニング設備として、搬送性及び組立て性に優れ、車椅子使用者の適切な姿勢での接近が可能とされたプランター及びそのプランター用スタンドが開発されている（例えば、特許文献１参照。）。しかし、このものは、プランター用スタンドの高さは車椅子使用者に適しているが、重量のあるプランターを上に載置するので重心が高く、スタンドの脚体の開脚幅が十分でないので不安定であった。さらに、プランター及びそのプランター用スタンドとして、確実にプランターを保持しうるプランター用スタンドが開発されている（例えば、特許文献２参照。）。しかし、このものも車椅子で作業するには不安定なものであった。
【０００５】
【特許文献１】特開２００４−２６７００９号公報
【特許文献２】実用新案登録第３０８０３７７号公報
【考案の開示】
【考案が解決しようとする課題】
【０００６】
本考案が解決しようとする課題は、上記のように老人介護施設又は身体障害者施設に居住している高齢者や身体の不自由な身体障害者などが車椅子などに載った状態で安心して草花の世話をすることができ、メルヘンの世界にいるような雰囲気をかもしだすガーデニング用コンテナー車を提供することである。すなわち、コンテナーを温もりのある素材から形成し、車椅子に載っていても肘をついて草花の手入れの作業が安全にでき、肥料やスコップなどもコンテナー内に収納でき、コンテナーからの排水が容易に行え、植物の根腐れを起こしにくし、さらに、屋外、屋内のどこででもガーデニングができるようにコンテナーを容易に移動できるものとする。
【課題を解決するための手段】
【０００７】
上記の課題を解決するための本考案の手段は、請求項１の考案では、前壁上部５ａ及び後壁上部６ａからそれぞれ前後に突出する左右に水平な手押し用の握り棒９を有する前壁５及び後壁６と左右の各側壁７を有し、左右の各側壁下部７ｆの前後部にそれぞれ前輪１１と後輪１２を有する植栽用の手押し車タイプの木製のコンテナー２から形成している。このコンテナー２は上部の植栽用の上面開放容器３と下部の収納室４に区分されている。上部の植栽用の上面開放容器３の側壁上部７ａの上半部７ｂは下半部７ｃに対して外側へ直角に倒しうる棚板７ｄとなっている。上記の下半部７ｃの側壁７に直角に倒した棚板７ｄはその裏面に堀こんだ固定溝７ｆに側壁７から観音開き上に側壁７に取付けた支持板８の突出部８ａを差し込み支持される。直角に倒した棚板７ｄの高さは車椅子に載った人の肘を載置しうる高さとなっている。上部の植栽用の上面開放容器３の底にステンレス製の水溜めパン３ａを配置している。さらに、下部の収納室４の前壁５と後壁６には開きドア１０を設け、収納室４の天井部に上部の水溜めパン３ａの底に開口の水抜き孔３ｂから水抜き用ホース３ｃを通し、この水抜き用ホース３ｃを収納室４に収納した水受けバケツ３ｄに挿入可能としている。このように請求項１の考案は上記の各構成からなるガーデニング用のコンテナー車１である。
【０００８】
このガーデニング用のコンテナー車１では、上部の植栽用の上面開放容器３の側壁７の上半部７ｂを外側に直角に倒して形成する棚板７ｄを有し、この棚板７ｄは、直角に外側に倒したときに車椅子に載った人がコンテナー２内の花などの植物の世話をする際に肘を載せたり、あるいは、如露を置いたりすることができる高さとなっている。そこで高齢者や身体障害者でも身体に負担をかけることなく花などの植物の手入れを容易にすることができる。
【０００９】
請求項２の考案では、手押し車タイプの木製のコンテナー２は前輪１１の前にさらに方向自在のキャスター１３を有し、このキャスター１３を可動とするクランクの操作棒１４をコンテナー２の後壁６の下部から後方に突出させて有することからなる請求項１の手段のガーデニング用のコンテナー車１である。以上のように形成されているので、車椅子に載った高齢者の世話をする介護者が、自在に操作してこの手押し車タイプの木製のコンテナー車１を屋外あるいは屋内の好みの場所に移動して固定することが容易にできる。
【００１０】
以上のように請求項２の考案は形成されているので、車椅子に載った高齢者の世話をする介護者が、自在に操作してこの手押し車タイプの木製のコンテナー車１を好みの場所に移動して固定することが容易にできる。
【考案の効果】
【００１１】
本考案の老人介護施設又は身体障害者施設用の手押し車タイプのガーデニングコンテナーは肘置きとなる棚板を有するので、これらの施設の入所者である車椅子で日常生活をしている高齢者又は身体障害者が世話をする際に肘を載せることができるので、車椅子に載った状態で世話をしても負担を覚えることなく、咲いた花などを載せた状態で施設の内外に容易に移動して施設内を飾ることができ、さらに植物の世話をするための簡単な用具や肥料などを収納しておくことができるなど、この考案は優れた効果を奏するものである。
【考案を実施するための最良の形態】
【００１２】
本考案を実施するための最良の形態について、図面１〜３を参照しながら以下に説明する。この考案は老人介護施設又は身体障害者施設において使用することを念頭に開発したものであるが、必ずしもこれらの施設における使用に限られるものではない。ガーデニングコンテナー車１は前壁５及び後壁６と左右の各側壁７を有し、前壁上部５ａ及び後壁上部６ａから、それぞれ前後に約１００ｍｍ突出して左右に水平な手押し用の握り棒９が設けられている。左右の各側壁下部７ｆの前後部にはそれぞれ前輪１１と後輪１２が設けられている。植栽用の手押し車タイプの木製のコンテナー２から形成されている。コンテナー２の大きさは、外径でそれぞれ前後の長さが８００ｍｍ、横幅が６００ｍｍ、高さが７７０ｍｍからなり、上面が開放された箱体である。この箱体は、白木から形成することで、無機質の冷たさの無い優しい温かさのあるものとする。さらに、この白木の味わいを残して防食性とするために白木の箱の表面には蜜蝋を塗布している。
【００１３】
このコンテナー２は上部の植木鉢などを入れることのできる植栽用の高さ３７０ｍｍの上面開放容器３と、下部の高さ４００ｍｍのガーデニング用具を収納できる収納室４に区分されている。上部の植栽用の上面開放容器３の側壁上部７ａの上半部７ｂは下半部７ｃに対して外側へ直角に倒しうる幅１５０ｍｍの棚板７ｄとなっている。上記の下半部７ｃの側壁７に直角に倒した棚板７ｄを支持するために、側壁７には２枚の幅１５０ｍｍの支持板８が側壁７から外側へ観音開き可能に取付けられており、外側へ直角に倒した棚板７ｄを観音開きした支持板８の上に載置され支持される。この場合、直角に倒した棚板７ｄの裏面には彫り込み状の固定溝７ｅが設けられており、一方、支持板８の上端には上に突出する突出部８ａが形成されており、固定溝７ｅに突出部８ａが嵌合されて、棚板７ｄが水平に安定に支持されている。この支持された棚板７ｄの高さは車椅子に載った人の肘を載置しうる高さとなっている。
【００１４】
コンテナー２の上部の植栽用の上面開放容器３の底には、ステンレス製の水溜めパン３ａが配置されている。この上面開放容器３内には、花の咲く植物を植え込んだ植木鉢や小型のコンテナーが載置されたり、あるいは栽培用の土壌を直接入れて植物を植えることができる。コンテナー２の下部の収納室４の前壁５及び後壁６には、開きドア１０が設けられて内部に収納物を入れたり取り出したりできるようにしている。この開きドア１０には適宜に透明なプラスチック板を嵌めた窓１０ａを設けて中の収納物を見やすくし、さらにドアを開けるための小さなドアノブ１０ｂを設けている。この収納室４の天井部には上部の水溜めパン３ａの底に開口の水抜き孔３ｂから水抜き用ホース３ｃを通されており、この水抜き用ホース３ｃは収納室４に収納した水受けバケツ３ｄに挿入可能とされている。このように請求項１の実施の形態の考案は上記の各構成からなるガーデニング用のコンテナー車１である。
【００１５】
他の実施の形態では、上記の形態に加えて、さらに、手押し車タイプの木製のコンテナー２は、ガーデニング用のコンテナー車１を移動させる際の便宜のために、前輪１１の前方に方向自在のキャスター１３が設けられている。さらにコンテナー２の後壁６の下部には、このキャスター１３を可動とするためのクランクからなる操作棒１４が後方に約１００ｍｍ突出させて設けられている。例えば、クランクからなる操作棒１４を上に持ち上げることでキャスター１３の係止を外して自由に移動できるものとし、操作棒１４を下方に足先で押し下げて係止することでキャスター１３の回動を固定してコンテナー車１を移動できなくする。このように手押し車タイプの木製のコンテナー２は形成されているので、介護者が自在に操作してこの手押し車タイプの木製のコンテナー車１を屋外あるいは屋内の好みの場所に移動した後、キャスター１３を固定することで高齢者や身体障害者がコンテナー車１に近づき車椅子に載った状態で肘をついて草花の手入れが安全にできる。
【図面の簡単な説明】
【００１６】
【図１】本考案の手押し車タイプの木製のコンテナーの側面図である。
【図２】本考案の手押し車タイプの木製のコンテナーの後方から見た図である。
【図３】本考案の手押し車タイプの木製のコンテナーの平面図である。
【符号の説明】
【００１７】
１  ガーデニング用のコンテナー車
２  コンテナー
３  上面開放容器
３ａ  水溜めパン
３ｂ  水抜き孔
３ｃ  水抜き用ホース
３ｄ  水受けバケツ
４  収納室
５  前壁
５ａ  前壁上部
６  後壁
６ａ  後壁上部
７  側壁
７ａ  側壁上部
７ｂ  上半部
７ｃ  下半部
７ｄ  棚板
７ｅ  固定溝
７ｆ  側壁下部
８  支持板
８ａ  突出部
９  握り棒
１０  開きドア
１０ａ  窓
１０ｂ  ドアノブ
１１  前輪
１１ａ  前輪の車軸
１２  後輪
１２ａ  後輪の車軸
１３  キャスター
１４  操作棒
１５  
【図１】
0003115052.tif 000003
【図２】
0003115052.tif 000004
【図３】
0003115052.tif 000005